(57)【要約】【課題】ペアリング設定前に照明装置と通信装置とが通信することができるかどうかを簡易に確認することができる通信装置、無線通信装置、照明装置、照明システム、通信方法、および、プログラムを提供する。【解決手段】アクセスポイント３０は、照明装置１０がアクセスポイント３０と通信するための無線通信装置１１０と通信する第１通信部１３２を備える。そして、第１通信部１３２は、無線通信装置１１０とペアリング設定されていない状態において、照明装置１０を所定の状態で点灯させるための信号をブロードキャストで送信する。【選択図】図４
2020078023.tif 000002
【特許請求の範囲】
【請求項１】
照明装置が当該通信装置と通信するための無線通信装置と通信する無線通信部を備え、
前記無線通信部は、前記無線通信装置とペアリング設定されていない状態において、前記照明装置を所定の状態で点灯させるための信号をブロードキャストで送信する
通信装置。
【請求項２】
前記所定の状態は、前記照明装置の光が点滅することを含む
請求項１に記載の通信装置。
【請求項３】
前記信号は、前記照明装置を前記所定の状態で点灯させる時間を示す情報を含む
請求項１または２に記載の通信装置。
【請求項４】
前記無線通信部は、前記信号により前記所定の状態で点灯された照明装置のうち１以上の照明装置に対して、ペアリング設定するための信号を送信する
請求項１〜３のいずれか１項に記載の通信装置。
【請求項５】
請求項１〜４のいずれか１項に記載の通信装置と通信する前記無線通信装置であって、
送信された信号を受信し、受信した前記信号に基づいて前記照明装置を所定の状態に点灯させるための信号を、当該照明装置に送信する
無線通信装置。
【請求項６】
前記受信した前記信号のうち所定の電波強度以上で受信した信号に基づいて、前記照明装置を所定の状態に点灯させるための信号を送信する
請求項５に記載の無線通信装置。
【請求項７】
請求項５に記載の無線通信装置が受信した前記信号に基づいて所定の状態で点灯する
照明装置。
【請求項８】
請求項６に記載の無線通信装置が所定の電波強度以上で受信した信号に基づいて所定の状態で点灯する
照明装置。
【請求項９】
請求項１〜４のいずれか１項に記載の通信装置と、
請求項７または８に記載の照明装置とを備える
照明システム。
【請求項１０】
照明装置が通信装置と通信するための無線通信装置と通信する無線通信部が、前記無線通信装置とペアリング設定されていない状態において、前記照明装置を所定の状態で点灯させるための信号をブロードキャストで送信することを含む
通信方法。
【請求項１１】
請求項１０に記載の通信方法をコンピュータに実行させる
プログラム。
【発明の詳細な説明】
【技術分野】
【０００１】
本開示は、通信装置、無線通信装置、照明装置、照明システム、通信方法、および、プログラムに関する。
【背景技術】
【０００２】
特許文献１の照明ユニットは、リモートコントローラによって無線信号を操作信号として受信することにより操作され、ペアリング指示信号を受信した場合に外部機器との間でペアリング処理を実行する。
【先行技術文献】
【特許文献】
【０００３】
【特許文献１】国際公開第２０１３／１２９５４４号
【発明の概要】
【発明が解決しようとする課題】
【０００４】
しかしながら、例えば固定された照明ユニットと固定された外部機器とが施工時にペアリング設定を行うことができても、ペアリング設定後に運用を開始した際には、照明ユニットと外部機器とを配置している施設の環境が変化していることがある。この場合、照明ユニットと外部機器との間に障害物が配置されたりすることで、照明ユニットと外部機器との間で通信ができなくなることがある。
【０００５】
そこで、本開示は、ペアリング設定前に照明装置と通信装置とが通信することができるかどうかを簡易に確認することができる通信装置、無線通信装置、照明装置、照明システム、通信方法、および、プログラムを提供することを目的とする。
【課題を解決するための手段】
【０００６】
上記目的を達成するため、本開示の一態様に係る通信装置は、照明装置が当該通信装置と通信するための無線通信装置と通信する無線通信部を備え、前記無線通信部は、前記無線通信装置とペアリング設定されていない状態において、前記照明装置を所定の状態で点灯させるための信号をブロードキャストで送信する。
【０００７】
また、上記目的を達成するため、本開示の一態様に係る無線通信装置は、通信装置と通信する前記無線通信装置であって、送信された信号を受信し、受信した前記信号に基づいて前記照明装置を所定の状態に点灯させるための信号を、当該照明装置に送信する。
【０００８】
また、上記目的を達成するため、本開示の一態様に係る照明装置は、無線通信装置が受信した前記信号に基づいて所定の状態で点灯する。
【０００９】
また、上記目的を達成するため、本開示の一態様に係る照明システムは、通信装置と、照明装置とを備える。
【００１０】
また、上記目的を達成するため、本開示の一態様に係る通信方法は、照明装置が通信装置と通信するための無線通信装置と通信する無線通信部が、前記無線通信装置とペアリング設定されていない状態において、前記照明装置を所定の状態で点灯させるための信号をブロードキャストで送信することを含む。
【００１１】
また、上記目的を達成するため、本開示の一態様に係るプログラムは、通信方法をコンピュータに実行させる。
【発明の効果】
【００１２】
本開示に係る通信装置等によれば、ペアリング設定前に照明装置と通信装置とが通信することができるかどうかを簡易に確認することができる。
【図面の簡単な説明】
【００１３】
【図１】図１は、実施の形態に係る照明システムを例示する模式図である。
【図２】図２は、実施の形態に係る照明システムを例示するブロック図である。
【図３】図３は、実施の形態に係る照明システムにおいて、通信端末を用いて通信確認要求を行う際に操作表示部に表示される操作画面を例示する模式図である。
【図４】図４は、実施の形態に係るペアリング設定前のアクセスポイントと照明装置とが通信確立されている場合の動作を例示するシーケンス図である。
【図５】図５は、実施の形態に係る照明システムの動作を例示するシーケンス図である。
【図６】図６は、実施の形態に係るペアリング設定中のアクセスポイントと照明装置との電波強度に基づく処理を例示するフロー図である。
【発明を実施するための形態】
【００１４】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置および接続形態、ステップ、ステップの順序などは、一例であり、本開示を限定する趣旨ではない。よって、以下の実施の形態における構成要素のうち、本開示の最上位概念を示す独立請求項に記載されていない構成要素については、任意の構成要素として説明される。
【００１５】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略、または簡略化する。
【００１６】
まず、本実施の形態に係る通信装置、無線通信装置、照明装置、照明システム、通信方法、および、プログラムについて説明する。
【００１７】
（実施の形態）
［構成］
図１は、実施の形態に係る照明システム１を例示する模式図である。図２は、実施の形態に係る照明システム１を例示するブロック図である。
【００１８】
図１および図２に示すように、照明システム１は、１以上の照明装置１０とアクセスポイント３０とのペアリング設定を行ったり、操作部４０を操作することで１以上の照明装置１０の点灯、消灯等の制御を行ったりする。ここで、１以上の照明装置１０とアクセスポイント３０とのペアリング設定とは、１以上の照明装置１０とアクセスポイント３０とが互いのアドレス情報（例えばＭＡＣ（Ｍｅｄｉａ  Ａｃｃｅｓｓ  Ｃｏｎｔｒｏｌ）アドレス）を交換することをいう。１以上の照明装置１０とアクセスポイント３０とのペアリング設定が完了すると、１以上の照明装置１０とアクセスポイント３０とが相互に無線通信が可能となる。なお、１以上の照明装置１０と通信端末２０とが相互に無線通信可能であってもよい。
【００１９】
照明システム１は、通信端末２０と、アクセスポイント３０と、１以上の照明装置１０と、無線通信装置１１０とを備える。なお、照明システム１は、アクセスポイント３０、無線通信装置１１０を搭載した１以上の照明装置１０を備えるだけでもよい。つまり、通信端末２０は、照明システム１の必須の構成要件ではない。
【００２０】
通信端末２０は、１以上の照明装置１０およびアクセスポイント３０が造営材に設置されている環境において、１以上の照明装置１０とのペアリング設定前に、１以上の照明装置１０とアクセスポイント３０とが通信確立されているかどうかの確認作業をする際に用いる。ユーザは通信端末２０を操作して、所定の状態で点灯させるための信号を含む通信確認要求をアクセスポイント３０に送信する。通信確認要求がアクセスポイント３０および無線通信装置１１０を介して１以上の照明装置１０に到達すれば、１以上の照明装置１０が所定の状態で点灯し、無線通信装置１１０に到達しなければ、アクセスポイント３０と通信装置１１０とが通信確立されていないため、照明装置１０は点灯できない。なお、本実施の形態では、第１設定コマンド、第２設定コマンド、識別情報の信号、点灯信号、制御コマンド等を総称して、単に信号と呼ぶことがある。
【００２１】
ここで、通信確認要求には、所定の状態の点灯の一例である点滅の周期を示す制御信号、光の調光および調色を示す制御信号、所定の状態の点灯を開始してから点灯させる時間を示す制御信号（所定の状態で点灯させる時間を示す情報の一例。）等を含む。
【００２２】
また、通信端末２０は、１以上の照明装置１０とアクセスポイント３０とをペアリング設定を行うための設定器として用いられる。通信端末２０は、例えば、タブレット端末、スマートフォン等であるが、ペアリング設定を行うための専用端末であってもよい。通信端末２０は、例えば、液晶モニター等の操作表示部１２１と兼用されるタッチパネルである操作表示部１２１を有する。ユーザは、操作表示部１２１を介して所定の操作を行うことで、ペアリング設定する対象となる１以上の照明装置１０を選択し、選択された１以上の照明装置１０とアクセスポイント３０とをペアリング設定する。
【００２３】
なお、本実施の形態では、１以上の照明装置１０とアクセスポイント３０とが直接的に通信し、アクセスポイント３０と通信端末２０とが直接的に通信しているが、１以上の照明装置１０は中継器（例えば、他のアクセスポイント、他の端末装置、他の照明装置等）を介してアクセスポイント３０と通信してもよく、アクセスポイント３０は中継器を介し通信端末２０と通信してもよい。このため、１以上の照明装置１０とアクセスポイント３０とが中継器を介して間接的に通信してもよく、アクセスポイント３０と通信端末２０とが中継器を介して間接的に通信してもよい。
【００２４】
アクセスポイント３０は、１以上の照明装置１０と通信端末２０とを無線通信可能に接続するルータ、ハブ等の中継器である。アクセスポイント３０は、通信端末２０から通信確認要求を受信すると、通信確認要求を１以上の照明装置１０に送信する。アクセスポイント３０は、通信装置の一例である。
【００２５】
また、アクセスポイント３０は、第１処理部１３１と、第１通信部１３２と、調光センサ１３３とを有する。
【００２６】
１以上の照明装置１０とアクセスポイント３０とのペアリング設定モード中において、１以上の照明装置１０から機器情報の信号をアクセスポイント３０が受信した場合、第１処理部１３１は、１以上の照明装置１０とアクセスポイント３０との電波強度が所定値未満であるかどうかをそれぞれ判定する。つまり、電波強度が所定値未満の照明装置１０が存在するかどうかを判定する。ここで、機器情報には、照明装置１０を特定する識別情報と、１以上の照明装置１０がアクセスポイント３０と異なる他のアクセスポイントとペアリングしているかどうかの有無を示す情報等が含まれる。
【００２７】
電波強度が所定値未満の照明装置１０が存在する場合、第１処理部１３１は、電波強度が所定値未満の照明装置１０を除外し、除外された照明装置１０以外である、電波強度が所定値以上の照明装置１０のリストを作成する。第１処理部１３１は、電波強度が所定値以上の照明装置１０のリストを示す情報を、第１通信部１３２を介して通信端末２０に送信する。
【００２８】
第１通信部１３２は、アンテナ等の無線モジュールにより構成される。第１通信部１３２は、赤外線等の光無線通信、ＮＦＣ（Ｎｅａｒ  Ｆｉｅｌｄ  Ｃｏｍｍｕｎｉｃａｔｉｏｎ）等によって１以上の照明装置１０及び通信端末２０と無線通信する。
【００２９】
第１通信部１３２は、ペアリング設定モード中に、１以上の照明装置１０から機器情報の信号を受信すると、受信した１以上の照明装置１０のリストを生成し、照明装置１０のリストを示す情報を通信端末２０に送信する。さらに、第１通信部１３２は、通信確認要求、第１設定コマンドおよび第２設定コマンドを通信端末２０から受信したり、通信確認要求、第１設定コマンドおよび第２設定コマンドを１以上の照明装置１０に送信したりする。第１通信部１３２は無線通信部の一例である。
【００３０】
調光センサ１３１は周囲の照度を検知する照度センサである。調光センサ１３１は、ペアリング設定後に、１以上の照明装置１０の照明制御部１０２が発光モジュール１０１の調光を制御するための情報（例えば照度を示す照度情報）を、ＡＰ通信部１３２を介して１以上の照明装置１０に送信する。１以上の照明装置１０は、この情報に基づいて所定の点灯を行う。
【００３１】
以下、特に言及する場合を除き、１以上の照明装置１０のうちの１つの照明装置１０について説明する。照明装置１０は、壁、天井等の造営材に設置され、周囲を照明する。照明装置１０は、操作部４０の操作によって点灯、消灯等の制御が行われる。照明装置１０は、メインコントローラ、壁スイッチ等の操作部４０と有線（例えば２線式有線。）で接続されており、壁スイッチへの操作に基づく制御コマンドを取得するメインコントローラによって、当該２線式有線を介して点灯および消灯の切り替え制御が行われる。
【００３２】
また、照明装置１０は、無線通信装置１１０を介して、他の照明装置１０の無線通信装置１１０およびアクセスポイント３０と無線通信可能に接続される。なお、照明装置１０は、無線通信装置１１０を介して、通信端末２０と無線通信可能に接続されてもよい。この場合、照明装置１０は、通信端末２０によって点灯および消灯の切り替え制御が行われてもよい。
【００３３】
照明装置１０、無線通信装置１１０、通信端末２０およびアクセスポイント３０の構成について詳細に説明する。図２は、実施の形態に係る照明システム１を例示するブロック図である。
【００３４】
照明装置１０は、照明制御部１０２と、発光モジュール１０１と、電源部１０３とを有する。
【００３５】
照明制御部１０２は、無線通信装置１１０、発光モジュール１０１および電源部１０３と電気的に接続される。照明制御部１０２は、例えば発光モジュール１０１を調光制御する調光回路、および、発光モジュール１０１を調色制御する調色回路を制御することで、発光モジュール１０１に出射させる光を調光制御および調色制御することができる。
【００３６】
照明制御部１０２は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。照明制御部１０２は、例えばメモリ部に記憶させたプログラムを実行させることで、所定の照明制御動作を行うことができる。メモリ部は、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの不揮発性半導体メモリを用いて構成することができる。
【００３７】
照明制御部１０２は、１以上の照明装置１０とアクセスポイント３０とのペアリング設定前の照明装置１０とアクセスポイント３０とが通信確立されているかどうかの確認作業時に、無線通信装置１１０を介して確認作業のための通信確認要求を取得する。照明制御部１０２は、取得した通信確認要求に基づいた点灯信号を、発光モジュール１０１に出力して点灯させる。点灯信号においても、通信確認要求に含まれる上述の各々の制御信号を含む。
【００３８】
発光モジュール１０１は、例えば、白色光、赤色光、緑色光または青色光を発する複数の発光ダイオードを含むモジュールである。発光モジュール１０１は、ペアリング設定前に照明制御部１０２から取得する点灯信号に基づいて所定の状態で点灯する。所定の状態とは、発光モジュール１０１の発する光が点滅することを含む。点滅の周期は、例えば数十Ｈｚ以下であり、ユーザが点灯を認識できる周期である。
【００３９】
なお、点灯信号に基づく発光モジュール１０１の所定の状態は、操作部４０からの操作または通信端末２０の操作によって、任意に設定される。例えば、照明装置１０では、点滅の周期を設定したり、光の調光および調色を設定したり、点滅を開始してから所定時間が経過すれば全点灯または消灯するように設定したりすることができる。
【００４０】
また、発光モジュール１０１は、ペアリング設定後の照明装置１０によって周囲を照明するための通常の状態での使用時に、照明制御部１０２からの点灯信号を受信することで、調光制御および調色制御される。発光モジュール１０１は、操作部４０からの操作または通信端末２０からの操作によって、操作に応じた点灯信号に基づいて点灯する。
【００４１】
電源部１０３は、商用電源から供給される交流電流を、整流、平滑および降圧等して所定レベルの直流電流に変換し、照明制御部１０２の制御によって、発光モジュール１０１の点灯信号に応じた当該直流電流を発光モジュール１０１に供給する。
【００４２】
本実施の形態では、照明装置１０には無線通信装置１１０が搭載されているがこれに限定されず、無線通信装置１１０と照明装置１０とが別々の装置であり、無線通信装置１１０が照明装置１０の外部に設けられて照明装置１０と通信可能に接続されていてもよい。
【００４３】
無線通信装置１１０は、照明装置１０に搭載される通信モジュールであり、照明装置１０と異なる他の照明装置１０に搭載される無線通信装置１１０、アクセスポイント３０等と無線通信することが可能である。無線通信装置１１０は、照明装置１０とアクセスポイント３０とのペアリング設定前にアクセスポイント３０から通信確認要求を受信すると、通信確認要求を１以上の照明装置１０に送信する。
【００４４】
また、無線通信装置１１０は、照明装置１０とアクセスポイント３０とのペアリング設定において以下の処理を行う。無線通信装置１１０は、第２処理部１１１と、第２通信部１１２と、記憶部１１３とを有する。
【００４５】
第２処理部１１１は、第１条件が成立したときに、所定の周波数内における複数の周波数チャンネルの中で周波数チャンネルを所定時間毎に切り替え（以下、切替え動作と言うことがある。）、切り替えられた周波数チャンネルで第１設定コマンドを受信するように、第２通信部１１２を受信状態にする。
【００４６】
ここで、第１条件は、停止した無線通信装置１１０が起動すること、つまり、無線通信装置１１０の電源がＯＦＦとなっている停止状態から無線通信装置１１０の電源がＯＮになる起動状態を含む。また、第１条件は、無線通信装置１１０とアクセスポイント３０との通信が途絶えてから規定時間の経過、および、後述する第２条件の成立後に停止状態となった無線通信装置１１０が起動状態になることの少なくとも一方を含む。
【００４７】
つまり、無線通信装置１１０が停止状態から起動状態になると、第２処理部１１１は、複数の周波数チャンネルの中で周波数チャンネルを所定時間毎に、自動的に切り替える（つまり、周波数チャンネルを周期的に切り替えることである。以下、切替周期ということがある。）。無線通信装置１１０は、切り替えられた周波数チャンネルで第１設定コマンドを受信する受信状態になる。なお、第１条件は、無線通信装置１１０が停止状態から起動状態になる場合だけでなく、通信端末２０の操作によって、周波数チャンネルを所定時間毎に切り替える動作を開始してもよい。
【００４８】
ここで、第１設定コマンドは、照明装置１０とアクセスポイント３０とをペアリング設定モードに移行するための情報と、照明装置１０を特定する識別情報とを含む。第１設定コマンドは、照明装置１０によって周囲を照明させるための点灯信号に基づく情報を含まない。また、識別情報は、照明装置１０を特定するための照明装置１０が保有するユニークワードであり、照明装置１０が有する図示しない記憶装置に格納される。
【００４９】
ユーザが通信端末２０を操作することによって無線通信装置１１０が第１設定コマンドを受信すると、切替え動作している第２処理部１１１は、受信した第１設定コマンドがペアリング設定モードに移行するための設定コマンドであるかどうかを判定する。受信した第１設定コマンドがペアリング設定するための設定コマンドであれば、第２処理部１１１は、第１設定コマンドに含まれる識別情報が、照明装置１０の保有する識別情報と一致するかどうかを判定する。なお、本実施の形態では、第１設定コマンドは、照明装置１０とアクセスポイント３０とを直接的にペアリング設定するコマンドではないが、これらを直接的にペアリング設定するためのコマンドであってもよい。受信した第１設定コマンドがペアリング設定モードに移行するための設定コマンドでなければ、第２処理部１１１は、受信した他の装置からの設定コマンドを破棄し、切替え動作を続ける。ペアリング設定モードとは、照明装置１０とアクセスポイント３０とを直接的にペアリング設定する前の準備状態である。
【００５０】
第１設定コマンドがペアリング設定モードに移行するためのコマンドであり、かつ、この識別情報が照明装置１０の保有する識別情報と一致する場合、第２条件が成立する。第２条件は、第１条件と異なる。第２条件が成立した場合、第２処理部１１１は、第１設定コマンドを受信した受信時の所定の周波数チャンネルに一時的に固定（例えば、仮固定ともいう。）する受信状態にする。このように第２条件が成立した場合、照明装置１０は、所定の周波数内における複数の周波数チャンネルの中で周波数チャンネルを所定時間毎に切り替える状態（以下、周波数チャンネルの切替状態ということがある。）から、仮固定された所定の周波数チャンネルで信号を受信する受信状態になる。より具体的には、第２通信部１１２は、第２条件が成立したとき、複数の周波数チャンネルの中で切り替えられる周波数チャンネルを所定の周波数チャンネルに仮固定し、仮固定された所定の周波数チャンネルで信号を受信する受信状態（例えば、仮固定の受信状態ともいう。）となる。
【００５１】
ここで、第２条件は、複数の周波数チャンネルのうちの周波数チャンネルの第２設定コマンドを受信し、受信した第２設定コマンドの周波数チャンネルを所定の周波数チャンネルとして仮固定することを含む。また、第２条件は、第１設定コマンドに所定の識別情報を有することを含む。
【００５２】
第１設定コマンドに含まれる識別情報が、照明装置１０の保有する識別情報と一致していない場合、受信した第１設定コマンドはペアリング設定モードへの移行以外の他の装置からのコマンドである。この場合、第２処理部１１１は、ペアリング設定モードへの移行を行わずに、受信した他の装置のコマンドを破棄し、切替え動作を続ける。
【００５３】
また、第２処理部１１１は、仮固定の受信状態になると、機器情報の信号をアクセスポイント３０に送信する。機器情報は、例えば、照明装置１０が保有する識別情報を含む。
【００５４】
１以上の照明装置１０とアクセスポイント３０とをペアリング設定する場合に受信状態となった際には、アクセスポイント３０が所定時間毎に１以上の照明装置１０に対して信号を送信し、アクセスポイント３０と１以上の照明装置１０とが通信している状態が連続的または断続的に持続される。照明装置１０とアクセスポイント３０とがペアリング設定されない場合、アクセスポイント３０とペアリング設定されなかった照明装置１０との通信が途絶える。ペアリング設定されなかった照明装置１０とアクセスポイント３０との通信が途絶えてから規定時間が経過する前に、第２処理部１１１は、第２設定コマンドを受信したかどうかを判定する。規定時間が経過する前に、第２設定コマンドを受信した場合、照明装置１０とアクセスポイント３０とがペアリング設定されたことを意味するため、第２処理部１１１は、受信状態に設定した所定の周波数チャンネルを示す情報を記憶部１１３に記憶させる。所定の周波数チャンネルを示す情報が記憶部１１３に記憶され、照明装置１０とアクセスポイント３０とが記憶された所定の周波数チャンネルに固定（例えば、本固定ともいう。）される。
【００５５】
ここで、第２設定コマンドは、照明装置１０とアクセスポイント３０とを直接的にペアリング設定するためのコマンドであり、１以上の照明装置１０から受信した照明装置１０のリストを示す情報（後述する）と、１以上の照明装置１０のそれぞれに対応したペアリング設定の有無を示す情報とを含む。
【００５６】
第２通信部１１２は、アンテナ等の無線モジュールにより構成される。第２通信部１１２は、第１設定コマンドおよび第２設定コマンドをアクセスポイント３０から受信したり、機器情報の信号をアクセスポイント３０に送信したりする。第２通信部１１２は、赤外線等の光無線通信、ＮＦＣ（Ｎｅａｒ  Ｆｉｅｌｄ  Ｃｏｍｍｕｎｉｃａｔｉｏｎ）等によってアクセスポイント３０、他の照明装置１０等と無線通信する。なお、第２通信部１１２は、通信端末２０と直接無線通信してもよい。
【００５７】
第２通信部１１２は、アクセスポイント３０と無線通信する方式として、９２０ＭＨｚ帯または２．４ＧＨｚ帯等の周波数を利用した特定小電力無線、Ｚｉｇｂｅｅ（登録商標）、Ｂｌｕｅｔｏｏｔｈ（登録商標）、Ｗｉ−Ｆｉ（登録商標）等の方式が用いられる。なお、無線通信可能な範囲内の１以上の照明装置１０の間でメッシュネットワークを形成し、このメッシュネットワークを経由して通信端末２０と無線通信してもよい。
【００５８】
照明装置１０の記憶部１１３は、不揮発性半導体メモリ等であり、受信状態に設定した所定の周波数チャンネルを示す情報を記憶する。
【００５９】
［動作］
次に、アクセスポイント３０、無線通信装置１１０、照明装置１０、照明システム１、通信方法、および、プログラムの動作について説明する。
【００６０】
図３は、実施の形態に係る照明システム１において、通信端末を用いて通信確認要求を行う際に操作表示部１２１に表示される操作画面を例示する模式図である。図４は、実施の形態に係る照明システム１の動作を例示するフロー図である。
【００６１】
ここでは、１以上の照明装置１０とアクセスポイント３０とが造営材に設置されている環境において、１以上の照明装置１０とアクセスポイント３０とがペアリング設定されていない状態を想定する。
【００６２】
図４に示すように、まず、ユーザは、１以上の照明装置１０とアクセスポイント３０とが通信確立されているかどうかの確認作業をするために、図３に示される通信端末２０の操作表示部１２１を操作し（Ｓ１）、通信確認要求をアクセスポイント３０に送信する（Ｓ１ａ）。図３で示す操作表示部１２１には、照明装置１０を調光率５％で点灯させる情報が通信確認要求に含まれる。この調光率は、ユーザの操作によって任意に設定することができる。また、操作表示部１２１では、１以上の照明装置１０とアクセスポイント３０と通信確立しているかどうかを確認するために、１以上の照明装置１０を選択することができる。
【００６３】
次に、アクセスポイント３０は、通信端末２０から通信確認要求を受信すると、通信確認要求を１以上の照明装置１０に送信する（Ｓ１ｂ）。
【００６４】
次に、１以上の照明装置１０に無線通信可能に接続される無線通信装置１１０が通信確認要求を受信すると、１以上の照明装置１０の照明制御部１０２は、無線通信装置１１０から通信確認要求を取得する。照明制御部１０２は、取得した通信確認要求に基づいた点灯信号を、発光モジュール１０１に出力して、所定の状態で点灯させる（Ｓ３）。
【００６５】
こうして、ユーザは、１以上の照明装置１０において、所定の状態で点灯した照明装置１０がアクセスポイント３０と通信確立されていることを認識することができる。
【００６６】
図５は、実施の形態に係る照明システム１の動作を例示するシーケンス図である。
【００６７】
図５に示すように、まず、ユーザが無線通信装置１１０を搭載した照明装置１０の電源をＯＮにすることにより、照明装置１０は、停止状態から起動状態になる。このとき、照明装置１０では第１条件が成立する（Ｓ１１）。
【００６８】
次に、照明装置１０は、第１条件が成立すると、周波数チャンネルの切替状態となり、所定の周波数チャンネルで第１設定コマンドを受信する受信状態になる。つまり、照明装置１０では、所定時間毎に、複数の周波数チャンネルの中で周波数チャンネルが切り替えられ、切り替えられた周波数チャンネルで第１設定コマンドを受信する受信状態になる（Ｓ１２）。
【００６９】
例えば、照明装置１０の受信できる所定の周波数が９２０ＭＨｚ帯である場合、９２０ＭＨｚ帯の中で、１ｃｈを９２３.８ＭＨｚ、２ｃｈを９２４ＭＨｚ・・・１０ｃｈを９２５．６ＭＨｚ等のように複数の周波数チャンネルが割り当てられる。照明装置１０に搭載される無線通信装置１１０の第２処理部１１１が奇数番号の周波数チャンネルの中で周波数チャンネルを切り替える場合、第２処理部１１１は、１ｃｈで第１設定コマンドを所定時間受信可能な状態となった後に、１ｃｈから３ｃｈに切り替えて、３ｃｈで第１設定コマンドを所定時間受信可能な状態になる。そして、第２処理部１１１は、３ｃｈから５ｃｈに切り替え、５ｃｈから７ｃｈに切り替え、７ｃｈから９ｃｈに切り替え、９ｃｈから１ｃｈに切り替えるといったことを、所定時間毎に周期的に繰り返す。
【００７０】
次に、ステップＳ１２のように照明装置１０が周波数チャンネルの切替状態になり、所定の周期で第１設定コマンドの受信状態になると、ユーザが通信端末２０を操作し、照明装置１０とアクセスポイント３０とをペアリング設定モードに移行させる。ユーザが通信端末２０によりペアリング設定モードへの移行の操作を行うことで、通信端末２０は、第１設定コマンドをアクセスポイント３０に送信する（Ｓ３１ａ）。
【００７１】
アクセスポイント３０は、通信端末２０から第１設定コマンドを受信すると、第１設定コマンドを１以上の照明装置１０にブロードキャストする（Ｓ３１ｂ）。なお、ブロードキャストではなく、マルチキャストでもよく、ユニキャストでもよい。
【００７２】
次に、各々の照明装置１０が第１設定コマンドを受信すると、切替え動作している第２処理部１１１は、受信した第１設定コマンドがペアリング設定モードに移行させるための設定コマンドであるかどうかを判定する（Ｓ１３）。受信した第１設定コマンドがペアリング設定モードに移行するための設定コマンドでない場合（Ｓ１３でＮＯ）、ステップＳ１２に戻り、第２処理部１１１は、同様の処理を行う。
【００７３】
受信した第１設定コマンドがペアリング設定モードに移行するための設定コマンドである場合（Ｓ１３でＹＥＳ）、第２処理部１１１は、第１設定コマンドに含まれる識別情報が、照明装置１０の保有する識別情報と一致するかどうかを判定する（Ｓ１４）。
【００７４】
第１設定コマンドに含まれる識別情報が、照明装置１０の保有する識別情報と一致していない場合（Ｓ１４でＮＯ）、ステップＳ１２に戻り、第２処理部１１１は、同様の処理を行う。
【００７５】
一方、第１設定コマンドに含まれる識別情報が、照明装置１０の保有する識別情報と一致する場合（Ｓ１４でＹＥＳ）、第２処理部１１１は、第１設定コマンドを受信した受信時の所定の周波数チャンネルに仮固定し、第２通信部１１２を仮固定の受信状態にする（Ｓ１５）。このように、ステップＳ１３でＹＥＳかつステップＳ１４でＹＥＳの場合、第２条件が成立する。
【００７６】
なお、第２条件の成立は、少なくともステップＳ１３でＹＥＳを満たす必要があり、ステップＳ１４は省略されてもよい。このように照明装置１０は、周波数チャンネルの切替状態から、仮固定の受信状態になる。
【００７７】
次に、照明装置１０に搭載された無線通信装置１１０の第２通信部１１２は、自機（照明装置１０）の識別情報をアクセスポイント３０に送信する（Ｓ１５ａ）。
【００７８】
次に、アクセスポイント３０は、照明装置１０から機器情報の信号を受信すると、照明装置１０のリストを作成する。アクセスポイント３０は、この１以上の機器情報に基づいて、無線通信装置１１０との電波強度が所定値未満の照明装置１０を除外し、除外された照明装置１０以外である電波強度が所定値以上の照明装置１０のリストを作成する（Ｓ２１）。そして、アクセスポイント３０は、電波強度が所定値以上の照明装置１０のリストを示す情報を通信端末２０に送信する（Ｓ２１ａ）。なお、ステップＳ２１については次の図において詳細に説明する。
【００７９】
通信端末２０は、照明装置１０のリストを示す情報を受信すると、リストを通信端末２０の操作表示部１２１に表示させる。リストには、照明装置１０を特定する識別情報、照明装置１０が他のアクセスポイントとペアリングされているかどうかの有無等の照明装置１０に関する情報が表示される。ユーザは、操作表示部１２１に表示されたリストに基づいて、アクセスポイント３０とペアリングできる照明装置１０を選択する（Ｓ３２）。
【００８０】
次に、無線通信装置１１０は、ユーザによって選択された１以上の照明装置１０を示す情報を含めた第２設定コマンドをアクセスポイント３０に送信する（Ｓ３２ａ）。
【００８１】
次に、アクセスポイント３０は、無線通信装置１１０から第２設定コマンドを受信すると、ユーザによって選択された１以上の照明装置１０に第２設定コマンドを送信する（Ｓ３２ｂ）。
【００８２】
次に、照明装置１０が第２設定コマンドを受信すると、照明装置１０の無線通信装置１１０は、仮固定された所定の周波数チャンネルを示す情報を記憶部１１３に記憶させる（Ｓ１６）。こうして、照明装置１０とアクセスポイント３０との通信が所定の周波数チャンネルに本固定され、本固定の受信状態になる。こうして、照明装置１０とアクセスポイント３０とがペアリング設定され、照明システム１はこのフローの処理を終了する。
【００８３】
これにより、例えば照明装置１０が停止状態となっても、照明装置１０は、記憶部１１３に記憶された所定の周波数チャンネルを示す情報を読み出すことで、ペアリングされた無線通信装置１１０と無線通信を行うことができる。
【００８４】
次に、図５のステップＳ１５ａから、ステップＳ２１、ステップＳ２１ａの処理について、図６を用いて詳細に説明する。
【００８５】
図６は、実施の形態に係るペアリング設定モード中のアクセスポイント３０と照明装置１０との電波強度に基づく処理を例示するフロー図である。
【００８６】
図６に示すように、ステップＳ１５ａにおいて１以上の照明装置１０から機器情報の信号をアクセスポイント３０が受信した場合、第１処理部１３１は、１以上の照明装置１０とアクセスポイント３０との電波強度が所定値未満であるかどうか、つまり、電波強度が所定値未満の照明装置１０が存在するかどうかを判定する（Ｓ１２１）。
【００８７】
電波強度が所定値未満の照明装置１０が存在する場合（Ｓ１２１でＹＥＳ）、第１処理部１３１は、電波強度が所定値未満の照明装置１０を除外し、除外された照明装置１０以外である、電波強度が所定値以上の照明装置１０のリストを作成する（Ｓ２１）。第１処理部１３１は、電波強度が所定値以上の照明装置１０のリストを示す情報を通信端末２０に送信する（Ｓ１２２）。そして、アクセスポイント３０は、ステップＳ２１ａに処理を進める。
【００８８】
電波強度が所定値未満の照明装置１０が存在しない場合（Ｓ１２１でＮＯ）、受信した全ての機器情報に基づいて照明装置１０のリストを作成し（Ｓ１２３）、ステップＳ１２２に進む。
【００８９】
［作用効果］
次に、本実施の形態におけるアクセスポイント３０、無線通信装置１１０、照明装置１０、照明システム１、通信方法、および、プログラムの作用効果について説明する。
【００９０】
上述したように、本実施の形態に係るアクセスポイント３０は、照明装置１０がアクセスポイント３０と通信するための無線通信装置１１０と通信する第１通信部１３２を備える。そして、第１通信部１３２は、無線通信装置１１０とペアリング設定されていない状態において、照明装置１０を所定の状態で点灯させるための通信確認要求（信号の一例）をブロードキャストで送信する。
【００９１】
これによれば、照明装置１０を所定の状態で点灯させる通信確認要求を第１通信部１３２が受信するため、アクセスポイント３０は、第１通信部１３２を介してこの通信確認要求を照明装置１０に送信することで、所定の状態で照明装置１０を点灯させることができる。
【００９２】
したがって、このため、ユーザは、ペアリング設定前に、照明装置１０とアクセスポイント３０とが通信することができるかどうかを簡易に確認することができる。
【００９３】
また、本実施の形態に係る照明システム１は、アクセスポイント３０と、照明装置１０とを備える。
【００９４】
また、本実施の形態に係る通信方法は、照明装置１０がアクセスポイント３０と通信するための無線通信装置１１０と通信する第１通信部１３２が、無線通信装置１１０とペアリング設定されていない状態において、照明装置１０を所定の状態で点灯させるための通信確認要求をブロードキャストで送信することを含む。
【００９５】
また、本実施の形態に係るプログラムは、通信方法をコンピュータに実行させる。
【００９６】
これらにおいても上述と同様の作用効果を奏する。
【００９７】
また、本実施の形態に係るアクセスポイント３０において、所定の状態は、照明装置１０の光が点滅することを含む。
【００９８】
これによれば、ユーザは、点滅によって照明装置１０とアクセスポイント３０とがペアリング設定がされていないと認識することができるため、照明装置１０のペアリング設定漏れを抑制することができる。また、照明装置１０とアクセスポイント３０との通信が確立されていることを簡易に確認することができる。
【００９９】
また、本実施の形態に係るアクセスポイント３０において、通信確認要求は、照明装置１０を所定の状態で点灯させる時間を示す情報を含む。
【０１００】
これによれば、時間を設定すればユーザの好みに合わせた状態で照明装置１を点灯させることができる。また、照明装置１０が複数ある場合、複数の照明装置１０を揃えて所定の状態で点灯させる等の制御をすることができるため、複数の照明装置１０とアクセスポイント３０とが通信できるかどうかが判り易くなる。
【０１０１】
また、本実施の形態に係るアクセスポイント３０において、第１通信部１３２は、通信確認要求により所定の状態で点灯された照明装置１０のうち１以上の照明装置１０に対して、第１設定コマンドおよび第２設定コマンド（ペアリング設定するための信号の一例）を送信する。
【０１０２】
これによれば、アクセスポイント３０と通信確立された１以上の照明装置１０のうち、ユーザが照明装置１０を選択することで、ユーザにとって所望の１以上の照明装置１０とアクセスポイント３０とをペアリング設定することができる。
【０１０３】
また、本実施の形態に係る無線通信装置１１０は、アクセスポイント３０と通信する。無線通信装置１１０は、送信された点灯信号または通信確認要求（信号の一例）を受信し、受信した点灯信号または通信確認要求に基づいて照明装置１０を所定の状態で点灯させるための点灯信号または通信確認要求を、当該照明装置１０に送信する。
【０１０４】
これによれば、無線通信装置１１０は、ペアリング設定前に所定の状態で点灯するための通信確認要求をアクセスポイント３０から受信することができ、かつ、ペアリング設定後に所定の状態で点灯するための点灯信号をアクセスポイント３０から受信することができる。これにより照明装置１０は、所定の状態で点灯することができる。
【０１０５】
また、本実施の形態に係る無線通信装置１１０は、受信した機器情報の信号（信号の一例）のうちの所定の電波強度以上で受信した機器情報の信号に基づいて、照明装置１０を所定の状態で点灯させるための点灯信号を送信する。
【０１０６】
また、本実施の形態に係る照明装置１０は、無線通信装置１１０が受信した通信確認要求に基づいて所定の状態で点灯する。
【０１０７】
これらによれば、照明装置１０は、所定の状態で点灯することができる。
【０１０８】
また、本実施の形態に係る照明装置１０は、無線通信装置１１０が所定の電波強度以上で受信した機器情報の信号に基づいて所定の状態で点灯する。
【０１０９】
例えば、照明装置１０とアクセスポイント３０とが通信することができたとしても、照明装置１０とアクセスポイント３０とを設置している施設環境の変化によって、照明装置１０とアクセスポイント３０とが通信することができなくなることがある。
【０１１０】
しかし、この照明装置１０によれば、照明装置１０とアクセスポイント３０とが通信可能な受信強度の閾値が所定の電波強度以上であれば、照明装置１０が設置されている施設環境が変化しても、照明装置１０とアクセスポイント３０とが通信することができなくなるといった不具合を抑制することができる。
【０１１１】
（その他変形例）
以上、本開示について、実施の形態に基づいて説明したが、本開示は、上記通信装置、無線通信装置、照明装置、照明システム、通信方法、および、プログラムに限定されるものではない。
【０１１２】
例えば、上記各実施の形態に係る通信装置、無線通信装置、照明装置、照明システム、通信方法、および、プログラムにおいて、周波数チャンネルの切替状態となってから一定時間が経過した場合、処理部は、第１通信部の受信強度の閾値を所定値だけ低下させてもよい。つまり、第１通信部は、第２条件が成立する前に、一定時間毎または複数の周波数チャンネルの中で受信する第１設定コマンドの周波数チャンネルを切り替える切替周期毎に、第１設定コマンドの受信強度の閾値を所定値だけ低下させてもよい。
【０１１３】
また、上記各実施の形態に係る通信装置１１０、通信システム、通信設備装置（例えば、照明装置１０）、設備システム１、通信方法、および、プログラムにおいて、図５に示すように、ステップＳ３１ａおよびステップＳ３１ｂにおいて、それぞれ第１設定コマンドが送信されているがこれには限定されない。例えば、ステップＳ３１ａでは、照明装置１０とアクセスポイント３０とがペアリング設定するための設定コマンド（識別情報を含んでいないコマンド）を、通信端末２０がアクセスポイント３０に送信すると、これを受信したアクセスポイント３０は、設定コマンドに識別情報を付加した同期設定コマンドを生成し、生成した同期設定コマンドを一定周期のタイミングで照明装置１０に送信してもよい。つまり、ステップＳ３１ａおよびステップＳ３１ｂにおいて、同一の設定コマンドが送信されるとは限らない。
【０１１４】
また、集積回路化はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、またはＬＳＩ内部の回路セルの接続や設定を再構成可能なリコンフィギュラブル・プロセッサを利用してもよい。
【０１１５】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１６】
また、上記で用いた数字は、全て本開示を具体的に説明するために例示するものであり、本開示の実施の形態は例示された数字に制限されない。
【０１１７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェアまたはソフトウェアが並列または時分割に処理してもよい。
【０１１８】
また、フロー図における各ステップが実行される順序は、本開示を具体的に説明するために例示するためであり、上記以外の順序であってもよい。また、上記ステップの一部が、他のステップと同時（並列）に実行されてもよい。
【０１１９】
その他、実施の形態に対して当業者が思いつく各種変形を施して得られる形態、本開示の趣旨を逸脱しない範囲で実施の形態における構成要素および機能を任意に組み合わせることで実現される形態も本開示に含まれる。
【符号の説明】
【０１２０】
１  照明システム
１０  照明装置
２０  通信端末
３０  アクセスポイント（通信装置）
１１０  無線通信装置
１３２  第１通信部（無線通信部）
【図１】
2020078023.tif 000003
【図２】
2020078023.tif 000004
【図３】
2020078023.tif 000005
【図４】
2020078023.tif 000006
【図５】
2020078023.tif 000007
【図６】
2020078023.tif 000008